(57)【要約】【課題】出動計画を自動的に生成すると共に、出動計画を作成する際の負荷を軽減する。【解決手段】消防指令システムは、地図情報及び地図上の建物に関する情報を含む地図図形情報、地図上の水利に関する情報を含む水利情報、及び災害規模に応じて出動する車両を決定するための出動計画判定テーブルを少なくとも記憶する記憶手段と、災害を示す通報に基づき得られる災害点の位置を示す災害点情報、地図図形情報、及び水利情報に基づき災害点に関する情報を取得し、取得した災害点に関する情報に基づき出動計画判定テーブルを参照して、出動する車両を決定するための情報である出動計画を生成する出動計画生成手段とを備え、生成された出動計画に基づき車両の出動指令を行う。【選択図】図１
2012230576.tif 000002
【特許請求の範囲】
【請求項１】
災害を示す通報に基づき災害点を決定し、出動する車両を決定するための情報である出動計画を生成し、該出動計画に基づき前記車両の出動指令を行う消防指令システムであって、
地図情報及び地図上の建物に関する情報を含む地図図形情報、前記地図上の水利に関する情報を含む水利情報、及び災害規模に応じて出動する車両を決定するための出動計画判定テーブルを少なくとも記憶する記憶手段と、
災害を示す通報に基づき得られる災害点の位置を示す災害点情報、前記地図図形情報、及び前記水利情報に基づき前記災害点に関する情報を取得し、取得した前記災害点に関する情報に基づき前記出動計画判定テーブルを参照して出動計画を生成する出動計画生成手段とを備えることを特徴とする消防指令システム。
【請求項２】
前記地図図形情報は、前記建物の位置を示す位置情報と、多角形を用いて前記建物を表現したポリゴン情報と、前記建物の高さを示す階数情報とを含み、
前記水利情報は、前記水利の位置を示す位置情報と、前記水利の送水能力を示す口径容量情報とを含み、
前記出動計画生成手段は、
前記ポリゴン情報に基づき、前記災害点における建物の面積を算出し、算出された前記面積に基づき災害規模を示す第１のパラメータを決定する災害規模算出手段と、
前記階数情報に基づき、前記災害点から所定範囲内に存在する１つ又は複数の建物の高さ状況を示す第２のパラメータを算出する情報建物高さ状況算出手段と、
前記水利の位置情報及び前記口径容量情報に基づき、前記災害点から所定範囲内に存在する１つ又は複数の水利の状況を示す第３のパラメータを算出する水利状況算出手段と、
前記第１、第２及び第３のパラメータに基づき、前記出動計画判定テーブルを参照して出動する車両を決定する出動計画判定手段とを有することを特徴とする請求項１に記載の消防指令システム。
【請求項３】
前記記憶手段は、前記建物の面積と前記災害規模を示す値とが対応付けられた災害規模テーブルを記憶し、
前記災害規模算出手段は、前記災害規模テーブルを参照し、前記算出された前記建物の面積に対応付けられた値を前記第１のパラメータとすることを特徴とする請求項２に記載の消防指令システム。
【請求項４】
前記建物高さ状況算出手段は、
前記階数情報に基づき、前記災害点から所定範囲内に存在する１つ又は複数の建物の階数の平均値を前記第２のパラメータとすることを特徴とする請求項２又は３に記載の消防指令システム。
【請求項５】
前記水利状況算出手段は、
前記水利の位置情報及び前記口径容量情報に基づき、前記災害点から所定範囲内に存在する１つ又は複数の水利について、該水利の口径容量を前記災害点から前記水利までの距離で除した値の合計を前記第３のパラメータとすることを特徴とする請求項２、３又は４に記載の消防指令システム。
【請求項６】
前記出動計画判定テーブルは、
前記第１のパラメータの値に基づき分類された出動形態を示す出場種別に応じた車両の出動状況が記述され、
前記車両の出動状況は、出動することを示す第１の状況と、所定の条件を満足した場合にのみ出動することを示す第２の状況と、待機することを示す第３の状況とに分類されることを特徴とする請求項２乃至５のいずれかに記載の消防指令システム。
【請求項７】
前記出動計画判定手段は、
前記第１のパラメータの値に基づき前記出場種別を決定し、
決定された前記出場種別に基づき、前記出動状況が前記第１の状況である車両を出動車両とし、
前記第１、第２又は第３のパラメータの値が該パラメータの値に対する前記条件を満足した場合に、前記出動状況が前記第２の状況である車両を前記出動車両とすることを特徴とする請求項６に記載の消防指令システム。
【請求項８】
前記出動計画生成手段は、前記地図図形情報及び前記水利情報が入力された際に、前記地図図形情報に含まれるすべての建物に対する出動計画を生成し、
前記記憶手段は、前記出動計画生成手段で生成された前記すべての建物に対する出動計画が記述された出動計画データベースを記憶することを特徴とする請求項１乃至７のいずれかに記載の消防指令システム。
【請求項９】
災害を示す通報に基づき災害点を決定し、出動する車両を決定するための情報である出動計画を生成し、該出動計画に基づき前記車両の出動指令を行う消防指令システムの出動計画生成方法であって、
災害を示す通報に基づき得られる災害点の位置を示す災害点情報と、地図情報及び地図上の建物に関する情報を含む地図図形情報、及び前記地図上の水利に関する情報を含む水利情報とに基づき前記災害点に関する情報を取得し、
取得した前記災害点に関する情報に基づき、災害規模に応じて出動する車両を決定するための出動計画判定テーブルを参照して出動計画を生成することを特徴とする出動計画生成方法。
【発明の詳細な説明】
【技術分野】
【０００１】
本発明は、災害発生時に、出動計画に基づき車両等の出動を指令する消防指令システム及び出動計画生成方法に関し、特に、出動計画を自動的に生成するシステム及び方法に関する。
【背景技術】
【０００２】
従来、火災等の災害が発生した場合に、災害種別や災害規模等に基づき出動する車両等を決定する出動計画を生成して出動隊を編成するシステムが提案されている。例えば、特許文献１には、地図情報に基づく行政区画や地番等のポリゴンデータを記憶すると共に、ポリゴンに対して出動隊編成を示す出動計画を災害種別毎に予め関連付けておき、災害が発生した際には、災害発生地点を含むポリゴンに関連付けられた出動計画を用いて出動する車両等を決定する出動隊編成システムが記載されている。
【０００３】
このように、ポリゴンに対して出動計画を予め関連付けることにより、出動隊編成を自動的に決定することができるため、災害が発生した際に、出動データの作成を簡素化することができ、災害に対して迅速に対応することができる。
【先行技術文献】
【特許文献】
【０００４】
【特許文献１】特開２００３−００６３８０号公報
【発明の概要】
【発明が解決しようとする課題】
【０００５】
しかしながら、特許文献１に記載のシステムでは、ポリゴンに対して関連付けられた出動計画に基づき、実際に出動する車両等を決定するため、すべてのポリゴンに対して出動計画を予め関連付ける必要がある。ポリゴンの数は、小規模なシステムでも数千件程度、大規模なシステムでは百万件程度に達するため、すべてのポリゴンに対応する出動計画を作成して関連付けるには、データを入力する作業者にかかる負担が増大すると共に、多大な入力コストを要するという問題があった。
【０００６】
また、このシステムでは、地図情報に基づくポリゴンに関連付けられた出動計画を用いて実際に出動する車両等を決定するため、地図情報が更新された場合には、地図情報の更新に応じて出動計画を変更して入力する必要があるという問題があった。
【０００７】
そこで、本発明は、上記従来の技術における問題点に鑑みてなされたものであって、出動計画を自動的に生成することができ、出動計画を作成する際の負荷を軽減することが可能な消防指令システム及び出動計画生成方法を提供することを目的とする。
【課題を解決するための手段】
【０００８】
上記目的を達成するため、本発明は、災害を示す通報に基づき災害点を決定し、出動する車両を決定するための情報である出動計画を生成し、該出動計画に基づき前記車両の出動指令を行う消防指令システムであって、地図情報及び地図上の建物に関する情報を含む地図図形情報、前記地図上の水利に関する情報を含む水利情報、及び災害規模に応じて出動する車両を決定するための出動計画判定テーブルを少なくとも記憶する記憶手段と、災害を示す通報に基づき得られる災害点の位置を示す災害点情報、前記地図図形情報、及び前記水利情報に基づき前記災害点に関する情報を取得し、取得した前記災害点に関する情報に基づき前記出動計画判定テーブルを参照して出動計画を生成する出動計画生成手段とを備えることを特徴とする。
【０００９】
そして、本発明によれば、災害点情報、地図図形情報及び水利情報に基づいて災害点に関する情報を取得し、出動計画判定テーブルを参照して出動する車両を決定するための出動計画を生成するため、災害の状況に応じて出動する車両を自動的に決定することができ、出動計画を生成する際の負担を軽減することができる。
【００１０】
上記消防指令システムにおいて、前記地図図形情報は、前記建物の位置を示す位置情報と、多角形を用いて前記建物を表現したポリゴン情報と、前記建物の高さを示す階数情報とを含み、前記水利情報は、前記水利の位置を示す位置情報と、前記水利の送水能力を示す口径容量情報とを含み、前記出動計画生成手段は、前記ポリゴン情報に基づき、前記災害点における建物の面積を算出し、算出された前記面積に基づき災害規模を示す第１のパラメータを決定する災害規模算出手段と、前記階数情報に基づき、前記災害点から所定範囲内に存在する１つ又は複数の建物の高さ状況を示す第２のパラメータを算出する情報建物高さ状況算出手段と、前記水利の位置情報及び前記口径容量情報に基づき、前記災害点から所定範囲内に存在する１つ又は複数の水利の状況を示す第３のパラメータを算出する水利状況算出手段と、前記第１、第２及び第３のパラメータに基づき、前記出動計画判定テーブルを参照して出動する車両を決定する出動計画判定手段とを有することができる。これにより、災害規模、災害点の周囲における建物の高さ状況、及び災害点の周囲における水利の状況に応じて、出動する車両を適切に決定することができる。
【００１１】
上記消防指令システムにおいて、前記記憶手段は、前記建物の面積と前記災害規模を示す値とが対応付けられた災害規模テーブルを記憶し、前記災害規模算出手段は、前記災害規模テーブルを参照し、前記算出された前記建物の面積に対応付けられた値を前記第１のパラメータとすることができる。これにより、災害点における災害規模を、人の感覚等によらずに一意的に決定することができる。
【００１２】
上記消防指令システムにおいて、前記建物高さ状況算出手段は、前記階数情報に基づき、前記災害点から所定範囲内に存在する１つ又は複数の建物の階数の平均値を前記第２のパラメータとすることができる。これにより、災害点の周囲における建物の高さ状況を、人の感覚等によらずに一意的に決定することができる。
【００１３】
上記消防指令システムにおいて、前記水利状況算出手段は、前記水利の位置情報及び前記口径容量情報に基づき、前記災害点から所定範囲内に存在する１つ又は複数の水利について、該水利の口径容量を前記災害点から前記水利までの距離で除した値の合計を前記第３のパラメータとすることができる。これにより、災害点の周囲における水利状況を、人の感覚等によらずに一意的に決定することができる。
【００１４】
上記消防指令システムにおいて、前記出動計画判定テーブルは、前記第１のパラメータの値に基づき分類された出動形態を示す出場種別に応じた車両の出動状況が記述され、前記車両の出動状況を、出動することを示す第１の状況と、所定の条件を満足した場合にのみ出動することを示す第２の状況と、待機することを示す第３の状況とに分類することができる。
【００１５】
上記消防指令システムにおいて、前記出動計画判定手段は、前記第１のパラメータの値に基づき前記出場種別を決定し、決定された前記出場種別に基づき、前記出動状況が前記第１の状況である車両を出動車両とし、前記第１、第２又は第３のパラメータの値が該パラメータの値に対する前記条件を満足した場合に、前記出動状況が前記第２の状況である車両を前記出動車両とすることができる。これにより、出場種別によって出動する車両と固定的とすることなく、災害点の状況に応じて適切な車両を出動させることができる。
【００１６】
上記消防指令システムにおいて、前記出動計画生成手段は、前記地図図形情報及び前記水利情報が入力された際に、前記地図図形情報に含まれるすべての建物に対する出動計画を生成し、前記記憶手段は、前記出動計画生成手段で生成された前記すべての建物に対する出動計画が記述された出動計画データベースを記憶することができる。これにより、災害点が決定した時点で、直ちに出動計画に基づく車両の出動を行うことができ、災害に対して迅速に対応することができる。
【００１７】
また、本発明は、災害を示す通報に基づき災害点を決定し、出動する車両を決定するための情報である出動計画を生成し、該出動計画に基づき前記車両の出動指令を行う消防指令システムの出動計画生成方法であって、災害を示す通報に基づき得られる災害点の位置を示す災害点情報と、地図情報及び地図上の建物に関する情報を含む地図図形情報、及び前記地図上の水利に関する情報を含む水利情報とに基づき前記災害点に関する情報を取得し、取得した前記災害点に関する情報に基づき、災害規模に応じて出動する車両を決定するための出動計画判定テーブルを参照して出動計画を生成することを特徴とする。本発明によれば、前記発明と同様に、災害の状況に応じて出動する車両を自動的に決定することができ、出動計画を生成する際の負担を軽減することができる。
【発明の効果】
【００１８】
以上のように、本発明によれば、出動計画を自動的に生成することができ、出動計画を作成する際の負荷を軽減することが可能になる。
【図面の簡単な説明】
【００１９】
【図１】本発明にかかる消防指令システムの第１の実施形態を示すブロック図である。
【図２】出動計画生成手段の構成の一例を示すブロック図である。
【図３】災害規模デーブルの一例を示す略線図である。
【図４】出動計画判定テーブルの一例を示す略線図である。
【図５】災害規模算出処理の流れについて説明するためのフローチャートである。
【図６】建物高さ状況算出処理の流れについて説明するためのフローチャートである。
【図７】水利状況算出処理の流れについて説明するためのフローチャートである。
【図８】出動計画判定処理の流れについて説明するためのフローチャートである。
【図９】災害点の周囲に存在する建物の状況の一例を示す略線図である。
【図１０】災害点の周囲に設置された水利の状況の一例を示す略線図である。
【図１１】本発明にかかる消防指令システムの第２の実施形態を示すブロック図である。
【発明を実施するための形態】
【００２０】
次に、本発明を実施するための形態について、図面を参照しながら詳細に説明する。
【００２１】
図１は、本発明にかかる消防指令システムの第１の実施形態を示し、この消防指令システム１は、地図検索装置２、入力装置３、表示出力装置４、出動指定装置５、入力手段６及び出動指令出力装置７で構成される。
【００２２】
地図検索装置２は、記憶装置１０、地図入力手段１４、水利情報入力手段１５、地図表示手段１６及び出動計画生成手段１７で構成され、災害発生時に、出動指定装置５からの要求に応じて出動する車両等を決定するための情報である出動計画を生成する。また、地図検索装置２には、キーボード等の入力デバイスからなる入力装置３を用いて入力された、地図や水利に関する情報を含む各種データが予め記憶される。
【００２３】
記憶装置１０には、地図図形情報１１、水利情報１２及び出動計画判定テーブル１３が記憶される。地図図形情報１１は、全国各地の地図が記録された地図情報や、各地の住所に対応する地点に既設された建物に関する情報を含む情報である。建物に関する情報としては、建物の位置情報や、多角形を用いて建物を表現したポリゴン情報、階数情報等の建物に関する情報が含まれる。地図図形情報１１としては、例えば市販されているデータを使用することができ、入力装置３を用いることにより、地図入力手段１４を介して記憶装置１０に記憶される。尚、建物は、地図上に面で表示されるため、建物の位置情報としては、その建物の重心位置を用いることが好ましい。
【００２４】
水利情報１２は、全国各地に接地された消火栓や防火水槽等の水利の状況を示す情報を含む情報である。この水利情報１２には、水利の位置情報や、水利が所定時間に放水できる水量（送水能力）を示す口径容量情報が含まれる。水利情報１２は、例えば各消防において入力され、入力装置３を用いることにより、水利情報入力手段１５を介して記憶装置１０に記憶される。
【００２５】
出動計画判定テーブル１３は、災害発生時に出動する車両を決定するためのテーブルであり、災害種別及び災害規模に応じた各車両の出動状況が記述される。尚、出動計画判定テーブル１３の詳細については、後述する。
【００２６】
地図表示手段１６は、記憶装置１０に記憶された地図図形情報１１及び水利情報１２を読み出し、図形データとして視覚的に表示するための表示データを生成する。生成された表示データは、表示出力装置４によって表示される。この表示は、データの登録時や実際の指令実行時に地図を確認する場合や、災害が発生した地点（以下、「災害点」とする）を決定する場合等に用いられる。例えば、地図表示手段１６は、入力装置３を介して操作者によって指定された地域等に基づき地図図形情報１１及び水利情報１２を検索し、指定された地域等の地図情報を含む地図図形情報１１と、対応する地域等の水利の位置情報を含む水利情報１２を記憶装置１０から読み出し、表示出力装置４に表示させる。また、地図表示手段１６は、災害発生時に出動指定装置５から供給される災害点の位置を示す情報である災害点情報に基づき、表示出力装置４に表示された地図上に災害点を表示させる。
【００２７】
出動計画生成手段１７は、災害発生時に出動指定装置５からの要求に応じて、出動指定装置５から供給される災害点情報と記憶装置１０に記憶された地図図形情報１１及び水利情報１２とに基づき災害点及びその周囲の状況に関する情報を取得し、出動計画判定テーブル１３を参照することにより出動計画を生成する。
【００２８】
図２は、出動計画生成手段１７の構成の一例を示す。出動計画生成手段１７は、災害規模算出手段３１、建物高さ状況算出手段３２、水利状況算出手段３３及び出動計画判定手段３４で構成される。
【００２９】
災害規模算出手段３１は、記憶装置１０に記憶された地図図形情報１１を読み出し、出動指定装置５から供給される災害点情報と地図図形情報１１に含まれる建物のポリゴン情報とに基づき、災害点における建物の面積を算出する。そして、災害規模算出手段３１は、算出した面積に基づき、災害規模を示すパラメータαを決定する。
【００３０】
パラメータαは、例えば、その値が大きいほど、災害規模が大きいことを示す。このパラメータαは、図３に示す災害規模テーブルに基づき決定することができる。災害規模テーブルは、災害点における建物の面積とパラメータαとが互いに対応付けられて記述されたテーブルである。
【００３１】
例えば、災害点における建物の面積が５００ｍ2以上である場合には、パラメータαの値を「１．０」と決定し、１００ｍ2以上１５０ｍ2未満の場合には、パラメータαの値を「０．７」と決定することができる。災害規模デーブルは、図示しないが、記憶装置１０に予め記憶される。尚、建物の面積及び建物の面積に対応付けられるパラメータαの値は、例えば、実際の運用の結果に基づいて、適宜変更することができる。
【００３２】
説明は図２に戻り、建物高さ状況算出手段３２は、記憶装置１０に記憶された地図図形情報１１を読み出し、出動指定装置５から供給される災害点情報と地図図形情報１１に含まれる建物の階数情報とに基づき、災害点を含む周囲の建物の高さ状況を示すパラメータβを決定する。パラメータβは、例えば、その値が大きいほど、災害点における災害の位置が高いことを示す。このパラメータβは、災害点から所定範囲内に存在する建物の階数に基づき決定することができる。
【００３３】
水利状況算出手段３３は、記憶装置１０に記憶された水利情報１２を読み出し、出動指定装置５から供給される災害点情報と水利情報１２とに基づき、災害点の周囲の水利状況を示すパラメータγを決定する。パラメータγは、例えば、その値が大きいほど、災害点に対する水利の状況がよいことを示す。このパラメータγは、災害点から所定範囲内に存在する水利の口径容量と、災害点から各水利までの距離とに基づき決定することができる。
【００３４】
出動計画判定手段３４は、災害規模算出手段３１、建物高さ状況算出手段３２及び水利状況算出手段３３で決定されたパラメータα、β及びγに基づき、記憶装置１０に記憶された出動計画判定テーブル１３を参照して出動計画を生成する。
【００３５】
ここで、出動計画判定テーブル１３は、図４に示すように、災害種別と、災害規模に基づく出動形態を示す出場種別とに応じた各車両の出動状況が記述されたテーブルである。この例では、災害種別が「一般火災」である場合の出動計画判定テーブルを示す。
【００３６】
出場種別は、災害の規模に応じて分類され、例えば、比較的大規模な火災時の出動形態である「第一出場」、中規模火災時の出動形態である「第二出場」、小規模火災時の出動形態である「第三出場」に分類される。車両は、災害発生時に出動可能な車両が登録され、例えば、「ポンプ１」、「ポンプ２」、「タンク１」、「タンク２」、「はしご」及び「救急」が登録される。
【００３７】
出動計画判定手段３４は、災害種別が決定されると、まず、災害規模算出手段３１により決定された災害規模を示すパラメータαに基づき出場種別を決定する。この例では、パラメータαが「０．７５以上１．０以下」、「０．５以上０．７５未満」及び「０．５未満」である場合に、各々の出場種別が「第一出場」、「第二出場」及び「第三出場」となる。
【００３８】
次に、出動計画判定手段３４は、決定した出場種別に対応する項目が「出動」となっている車両を選択し、出動計画に記載する。尚、決定した出場種別に対応する項目が「条件出動」となっている車両は、パラメータα、β及びγの値による条件がさらに設定され、この条件を満足した場合にのみ「出動」として扱い、条件を満足しない場合には「待機」として扱う。条件を満足した場合、出動計画判定手段３４で生成される出動計画には、「出動」の車両に加えて「条件出動」の車両が記載される。
【００３９】
例えば、パラメータαの値が「０．７５以上１．０以下」である場合には、出場種別が「第一出場」となり、車両「はしご」を除く車両が出動計画に記載される。このとき、パラメータβの値が１０を超える場合には、車両「はしご」も「出動」として扱うことになり、出動計画判定テーブル１３に登録されたすべての車両が出動計画に記載される。一方、パラメータβの値が１０以下の場合、車両「はしご」は「待機」として扱う。
【００４０】
また、例えば、パラメータαの値が「０．５以上０．７５未満」である場合には、出場種別が「第二出場」となり、車両「ポンプ１」、「タンク１」及び「救急」が出動計画に記載される。このとき、パラメータαが０．６以上である場合には車両「ポンプ２」が、パラメータβが１０を超える場合には車両「はしご」が、パラメータγが０．５未満である場合には車両「タンク２」が出動計画に追加される。
【００４１】
さらに、例えば、パラメータαの値が「０．５未満」である場合には、出場種別が「第三出場」となり、車両「ポンプ１」が出動計画に記載される。このとき、パラメータγが０．３未満である場合には車両「タンク１」が、パラメータγが０．４以上である場合には車両「救急」が出動計画に追加される。
【００４２】
このように、車両の出動状況として「条件出動」を設定することにより、同一の出場種別であっても、各パラメータの値に応じて出動する車両が変化する。これにより、出場種別によって出動する車両と固定的とすることなく、災害点の状況に応じて適切な車両を出動させることができる。
【００４３】
尚、出動計画判定テーブル１３における各項目及び記述内容は、適宜変更することができる。例えば、各出場種別における各車両の出動状況や、出動状況が「条件出動」である場合に設定される条件等の記述内容は、過去の出動結果等を考慮して変更することができる。また、例えば、出動計画判定テーブル１３に登録される車両についても、各消防が備える車両の増減があった場合等に、車両の増減に応じて変更することができる。さらに、例えば、出場種別の分類は、災害規模に応じてさらに細分化することもできる。
【００４４】
説明は図１に戻り、出動指定装置５は、災害点決定手段２１、出動計画取得手段２２及び出動指令手段２３で構成され、入力手段６による通報に基づき災害点を決定し、地図検索装置２から受け取った出動計画に基づき出動指令を行う。
【００４５】
災害点決定手段２１は、入力手段６による固定電話やＩＰ（Internet Protocol）電話、携帯電話、Ｗｅｂ等を用いた１１９番通報に基づき災害点を決定し、災害点の位置を示す災害点情報を地図検索装置２の地図表示手段１６及び出動計画生成手段１７に対して出力する。
【００４６】
出動計画取得手段２２は、地図検索装置２の出動計画生成手段１７に対して出動計画を要求し、出動計画生成手段１７によって生成された出動計画を取得する。そして、出動計画取得手段２２は、取得した出動計画を確認し、必要に応じて出動計画を適宜変更する。
【００４７】
出動指令手段２３は、出動計画取得手段２２で取得した出動計画に基づき出動指令を行う。出動指令は、出動指令出力装置７を介して出力され、この出動指令に基づき出動対象となる車両の出動が行われる。
【００４８】
次に、上記構成を有する消防指令システム１の動作について、図１及び図２を参照して説明する。図１に示すように、出動指定装置５は、入力手段６による１１９番通報を受けると、災害点決定手段２１において、通報内容に基づき災害点を決定し、災害点の位置情報を地図検索装置２の地図表示手段１６及び出動計画生成手段１７に供給する。地図検索装置２の地図表示手段１６は、記憶装置１０に記憶された地図図形情報１１及び水利情報１２に基づき表示データを生成して表示出力装置４に表示させると共に、災害点決定手段２１から供給された災害点の位置情報に基づき、災害点を表示出力装置４に表示された地図上に表示させる。
【００４９】
出動計画取得手段２２は、災害点が決定すると、出動計画生成手段１７に対して出動計画を要求する。出動計画生成手段１７は、出動計画取得手段２２からの要求を受けると、図２に示すように、災害規模算出手段３１及び建物高さ状況算出手段３２において、記憶装置１０に記憶された地図図形情報１１に基づき災害規模及び建物高さ状況に関する情報を取得する。また、出動計画生成手段１７は、水利状況算出手段３３において、水利情報１２に基づき水利状況に関する情報を取得する。
【００５０】
そして、出動計画生成手段１７は、出動計画判定手段３４において、災害規模、建物高さ状況及び水利状況に関する情報に基づき、出動計画判定テーブル１３を参照することにより出動計画を生成する。生成された出動計画は、出動計画取得手段２２に供給される。出動計画取得手段２２により出動計画が取得されると、出動指令手段２３は、取得した出動計画に基づき出動指令を行う。これにより、出動対象となる車両の出動が行われる。
【００５１】
次に、出動計画生成手段１７で行われる出動計画の生成方法について説明する。出動計画生成手段１７では、災害規模算出手段３１による災害規模算出処理と、建物高さ状況算出手段３２による建物高さ状況算出処理と、水利状況算出手段３３による水利状況算出処理と、出動計画判定手段３４による出動計画判定処理とが行われる。尚、災害規模算出処理、建物高さ状況算出処理及び水利状況算出処理は、順次行うようにしてもよいし、同時に並行して行うようにしてもよい。
【００５２】
災害規模算出手段３１による災害規模算出処理について、図５に示すフローチャートを参照して説明する。災害規模算出処理では、まず、ステップＳ１において、記憶装置１０に記憶された地図図形情報１１が読み出され、出動指定装置５から供給された災害点情報が示す災害点の位置に既設された建物のポリゴン情報が抽出される。
【００５３】
次に、抽出されたポリゴン情報に基づき、災害点における建物の面積が算出される（ステップＳ２）。そして、算出された災害点における建物の面積に基づき、図３に示す記憶装置１０に記憶された災害規模テーブルを参照し、災害規模を示すパラメータαが決定される（ステップＳ３）。
【００５４】
建物高さ状況算出手段３２による建物高さ状況算出処理について、図６に示すフローチャートを参照して説明する。建物高さ状況算出処理では、まず、ステップＳ１１において、記憶装置１０に記憶された地図図形情報１１が読み出され、出動指定装置５から供給された災害点情報が示す災害点の位置から所定範囲内に存在する建物の階数情報が抽出される。次に、抽出された各建物の階数情報に基づき、災害点を含む周囲の建物の高さ状況を示すパラメータβが式（１）により算出される（ステップＳ１２）。
パラメータβ＝所定範囲内の建物の階数の合計÷所定範囲内の建物数  ・・・（１）
【００５５】
水利状況算出手段３３による水利状況算出処理について、図７に示すフローチャートを参照して説明する。水利状況算出処理では、まず、ステップＳ２１において、記憶装置１０に記憶された水利情報１２が読み出され、出動指定装置５から供給された災害点情報が示す災害点の位置から所定範囲内に存在する水利についての水利情報が抽出される。次に、抽出された水利情報に含まれる水利の口径容量と位置情報と基づき、災害点の周囲の水利状況を示すパラメータγが式（２）により算出される（ステップＳ２２）。
パラメータγ＝Σ（口径容量÷距離）  ・・・（２）
【００５６】
出動計画判定手段３４による出動計画判定処理について、図８に示すフローチャートを参照して説明する。出動計画判定処理では、まず、ステップＳ３１において、上述した図５に示す災害規模算出処理により決定されたパラメータαに基づき、記憶装置１０に記憶された出動計画判定テーブル１３を参照することにより、出場種別が決定される。
【００５７】
次に、ステップＳ３１で決定された出場種別において、所定の車両の出動状況が「条件出動」であるか否かが判断される（ステップＳ３２）。車両の出動状況が「条件出動」でないと判断された場合には、処理がステップＳ３３に移行し、出動状況が「出動」であるか否かが判断される。尚、ステップＳ３２及びステップＳ３３の処理は、順序を入れ替えてもよい。
【００５８】
ステップＳ３３において、出動状況が「出動」であると判断された場合には、当該車両を出動計画に記載する（ステップＳ３４）。一方、出動状況が「出動」でないと判断された場合には、当該車両の出動状況が「待機」であると判定される（ステップＳ３８）。
【００５９】
また、ステップＳ３２において、出動状況が「条件出動」であると判断された場合には、処理がステップＳ３５に移行し、パラメータα、β及びγに対して設定された条件を満足するか否かが判断される。
【００６０】
「条件出動」の条件として、パラメータαに対する条件が設定されている場合には、パラメータαの値が設定された条件を満足するか否かが判断される（ステップＳ３５）。パラメータαの値が条件を満足すると判断された場合には、処理がステップＳ３６に移行する。一方、条件を満足しないと判断された場合には、ステップＳ３８において、当該車両の出動状況が「待機」であると判定される。
【００６１】
「条件出動」の条件として、パラメータβに対する条件が設定されている場合には、パラメータβの値が設定された条件を満足するか否かが判断される（ステップＳ３６）。パラメータβの値が条件を満足すると判断された場合には、処理がステップＳ３７に移行する。一方、条件を満足しないと判断された場合には、ステップＳ３８において、当該車両の出動状況が「待機」であると判定される。
【００６２】
「条件出動」の条件として、パラメータγに対する条件が設定されている場合には、パラメータγの値が設定された条件を満足するか否かが判断される（ステップＳ３７）。パラメータγの値が条件を満足すると判断された場合には、ステップＳ３４において、当該車両の出動状況が「出動」であると判定される。一方、条件を満足しないと判断された場合には、ステップＳ３８において、当該車両の出動状況が「待機」であると判定される。
【００６３】
尚、ステップＳ３５〜ステップＳ３７において、対象となるパラメータに対する条件が設定されていない場合には、各パラメータによる条件を満足したものとして、次のステップに移行する。
【００６４】
所定の車両に対する出動状況が決定されると、出動計画判定テーブル１３に登録されたすべての車両に対して出動状況が決定されたか否かが判断される（ステップＳ３９）。すべての車両に対して出動状況が決定されたと判断された場合には、一連の処理が終了する。一方、すべての車両に対して出動状況が決定されていないと判断された場合には、処理がステップＳ３２に戻り、次の車両に対してステップＳ３２〜ステップＳ３８までの処理を繰り返し行う。
【００６５】
ここで、出動計画の生成方法について、図９及び図１０を参照して具体的に説明する。図９は、災害点の周囲に存在する建物の状況の一例を示し、図１０は、災害点の周囲に設置された水利の状況の一例を示す。
【００６６】
この例では、図９に示すように、災害が発生した８階建ての建物Ａに隣接して１５階建ての建物Ｂが存在すると共に、建物Ａから離れた地点に５階建ての建物Ｃが存在する。点線の円で示す領域Ｔ1は、災害点を含む周囲の建物の高さ状況を示すパラメータβを決定する際に必要な、予め設定された所定範囲を示す。この例では、災害点から半径Ｘ［ｍ］で形成される領域Ｔ1を所定範囲の設定値とする。
【００６７】
また、この例では、図１０に示すように、災害点から５０［ｍ］離れた地点に、水利である口径容量が２５の消火栓Ｄが設置され、災害点から１００［ｍ］離れた地点に、口径容量が７５の消火栓Ｅが設置されている。点線の円で示す領域Ｔ2は、災害点の周囲の水利状況を示すパラメータγを決定する際に必要な、予め設定された所定範囲を示す。この例では、災害点から半径Ｙ［ｍ］で形成される領域Ｔ2を所定範囲の設定値とする。
【００６８】
このような場合、出動計画生成手段１７は、まず、災害規模算出手段３１において災害規模を示すパラメータαを決定する。災害規模算出手段３１は、記憶装置１０から地図図形情報１１を読み出し、災害点である建物Ａの位置情報に基づき、地図図形情報１１に含まれる建物Ａのポリゴン情報を抽出し、建物Ａの面積を算出する。そして、災害規模算出手段３１は、記憶装置１０に記憶された災害規模テーブルを参照し、パラメータαを決定する。建物Ａの面積を例えば１００ｍ2とした場合、パラメータαは、図３に示す災害規模テーブルに基づき「０．７」となる。
【００６９】
次に、出動計画生成手段１７は、建物高さ状況算出手段３２において災害点を含む周囲の建物の高さ状況を示すパラメータβを決定する。建物高さ状況算出手段３２は、記憶装置１０から地図図形情報１１を読み出し、建物Ａの位置情報に基づき、建物Ａを中心とする半径Ｘ［ｍ］の領域Ｔ1内に存在する建物の階数情報を抽出する。領域Ｔ1内には、建物Ａ及びＢが存在するので、建物Ａ及びＢの階数情報が抽出される。
【００７０】
そして、建物高さ状況算出手段３２は、抽出された建物Ａ及びＢの階数情報に基づき、パラメータβを式（１）を用いて算出する。建物Ａ及びＢの階数は、各々８階建て及び１５階建てであるので、パラメータβは、以下に示すように「１１．５」となる。
パラメータβ＝（８［階］＋１５［階］）÷２＝１１．５
【００７１】
次に、出動計画生成手段１７は、水利状況算出手段３３において災害点の周囲の水利状況を示すパラメータγを決定する。水利状況算出手段３３は、記憶装置１０から水利情報１２を読み出し、建物Ａの位置情報に基づき、建物Ａを中心とする半径Ｙ［ｍ］の領域Ｔ2内に存在する水利情報を抽出する。領域Ｔ2内には、消火栓Ｄ及びＥが存在するので、消火栓Ｄ及びＥの水利情報が抽出される。
【００７２】
そして、水利状況算出手段３３は、抽出された消火栓Ｄ及びＥの水利情報に基づき、パラメータγを式（２）を用いて算出する。消火栓Ｄ及びＥの口径容量は、各々２５及び７５であるので、パラメータγは、以下に示すように「１．２５」となる。
パラメータγ＝２５÷５０＋７５÷１００＝１．２５
【００７３】
次に、出動計画生成手段１７は、出動計画判定手段３４において出動計画を決定する。出動計画判定手段３４は、災害規模算出手段３１において決定されたパラメータαに基づき、記憶装置１０に記憶された出動計画判定テーブル１３を参照し、出場種別を決定する。ここでは、パラメータαの値が「０．７」であるため、図４に示すように、出場種別として「第二出場」が選択される。そして、出動状況が「出動」となっている車両「ポンプ１」、「タンク１」及び「救急」が出動計画に記載される。
【００７４】
また、出動状況が「条件出動」となっている車両「ポンプ２」、「タンク２」及び「はしご」については、各パラメータと各々に予め設定された条件とを比較し、各パラメータが条件を満足する場合に、出動状況が「出動」として扱われ、出動計画に追加される。
【００７５】
車両「ポンプ２」は、パラメータαの値が「０．７」であることにより、条件「α≧０．６」を満足するため、出動状況が「出動」として扱われる。また、車両「タンク２」は、パラメータγの値が「１．２５」であることにより、条件「γ＜０．５」を満足しないため、出動状況が「待機」として扱われる。さらに、車両「はしご」は、パラメータβの値が「１１．５」であることにより、条件「β＞１０」を満足するため、出動状況が「出動」として扱われる。
【００７６】
このようにして、この例では、出場種別が「第二出場」となり、車両「ポンプ１」、「ポンプ２」、「タンク１」、「はしご」及び「救急」が出動車両として出動計画に記載されることになる。
【００７７】
以上のように、第１の実施形態によれば、地図図形情報に基づき災害規模及び災害点を含む周囲の建物高さ状況を計算により決定すると共に、水利情報に基づき災害点の周囲の水利状況を計算により決定し、決定された災害規模、建物高さ状況及び水利状況に応じて出動計画を生成するため、災害の状況に応じた適切な出動計画を自動的に生成することができる。
【００７８】
また、災害の状況に応じて出動計画を自動的に生成するため、出動計画を指示者の感覚等によらず生成できると共に、出動計画を生成する際の負担を軽減することができる。さらに、地図図形情報及び水利情報を常に最新の状態にすることにより、最新の状況に応じて出動計画を生成することができる。
【００７９】
次に、本発明の第２の実施形態について説明する。図１１は、本発明にかかる消防指令システムの第２の実施形態を示し、この消防指令システム１’は、地図検索装置２’、入力装置３、表示出力装置４、出動指定装置５’、入力手段６及び出動指令出力装置７で構成される。尚、以下の説明において、上述した第１の実施形態による消防指令システム１と共通する部分については、同一の符号を付し、詳細な説明を省略する。
【００８０】
地図検索装置２’は、記憶装置１０、地図入力手段１４、水利情報入力手段１５、地図表示手段１６及び出動計画生成手段１７’で構成される。記憶装置１０には、地図図形情報１１、水利情報１２及び出動計画判定テーブル１３が記憶されると共に、地図図形情報１１に存在するすべての建物に対する出動計画が記述された出動計画データベース５０が記憶される。
【００８１】
出動計画生成手段１７’は、入力装置３を用いて地図図形情報１１及び水利情報１２が入力された際に、地図図形情報１１に存在するすべての建物に対して出動計画を生成する。そして、生成した出動計画を出動計画データベース５０として記憶装置１０に供給する。
【００８２】
出動指定装置５’は、災害点決定手段２１、出動計画取得手段２２’及び出動指令手段２３で構成される。出動計画取得手段２２’は、災害点が決定すると、地図検索装置２’の記憶装置１０に記憶された出動計画データベース５０から、決定された災害点に位置する建物についての出動計画を読み出す。
【００８３】
次に、上記構成を有する消防指令システム１’の動作について、図１１を参照して説明する。図１１に示すように、出動計画生成手段１７’は、地図図形情報１１及び水利情報１２が入力されると、地図検索装置２’の記憶装置１０に記憶された地図図形情報１１、水利情報１２及び出動計画判定テーブル１３に基づき、地図図形情報１１に存在するすべての建物に対して出動計画を生成し、出動計画データベース５０として記憶装置１０に記憶する。尚、出動計画生成手段１７’によるパラメータα、β及びγの決定及び各パラメータに基づく出動計画の生成方法については、第１の実施形態と同様であるため、説明を省略する。
【００８４】
出動指定装置５’は、入力手段６による１１９番通報を受けると、災害点決定手段２１において、通報内容に基づき災害点を決定し、災害点の位置情報を地図検索装置２’の地図表示手段１６に供給する。これにより、表示出力装置４には、地図表示手段１６で生成された表示データに基づく地図及び災害点が表示される。
【００８５】
出動計画取得手段２２’は、災害点が決定すると、地図検索装置２’の記憶装置１０に記憶された出動計画データベース５０から、決定された災害点に位置する建物についての出動計画を取得する。出動指令手段２３は、出動計画取得手段２２’で取得された出動計画に基づき出動指令を行う。これにより、出動対象となる車両の出動が行われる。
【００８６】
以上のように、第２の実施形態によれば、災害が発生する前に、地図上に存在するすべての建物に対する出動計画を予め生成し、生成した出動計画をデータベースとして記憶しておくため、災害が発生し、災害点が決定した時点で、直ちに出動計画を取得することができ、災害に対して迅速に対応することができる。
【００８７】
また、パラメータα、β及びγによらないような建物の危険性や化学火災が発生する可能性等の、自動的に判断することができない要因を考慮して、出動計画データベースを編集して出動計画に反映させることができる。
【００８８】
以上、本発明の第１及び第２の実施形態について説明したが、本発明は、上述した本発明の第１及び第２の実施形態に限定されるものではなく、本発明の要旨を逸脱しない範囲内で様々な変形や応用が可能である。例えば、上述の例では、パラメータβを建物の階数を用いて算出したが、これに限られず、例えば、建物の高さを用いて算出してもよい。
【符号の説明】
【００８９】
１、１’  消防指令システム
２、２’  地図検索装置
３  入力装置
４  表示出力装置
５、５’  出動指定装置
６  入力手段
７  出動指令出力装置
１０  記憶装置
１１  地図図形情報
１２  水利情報
１３  出動計画判定テーブル
１４  地図入力手段
１５  水利情報入力手段
１６  地図表示手段
１７、１７’  出動計画生成手段
２１  災害点決定手段
２２、２２’  出動計画取得手段
２３  出動指令手段
３１  災害規模算出手段
３２  建物高さ状況算出手段
３３  水利状況算出手段
３４  出動計画判定手段
５０  出動計画データベース
【図１】
2012230576.tif 000003
【図２】
2012230576.tif 000004
【図３】
2012230576.tif 000005
【図４】
2012230576.tif 000006
【図５】
2012230576.tif 000007
【図６】
2012230576.tif 000008
【図７】
2012230576.tif 000009
【図８】
2012230576.tif 000010
【図９】
2012230576.tif 000011
【図１０】
2012230576.tif 000012
【図１１】
2012230576.tif 000013